(57)【要約】【課題】本発明の課題は、ラジコン模型自動車などをはじめとする各種のラジコン模型に制御信号を送信する送信機（コントローラー）に関し、さらに詳しくはアクセル操作用スイッチとブレーキ操作用スイッチとを別体に構成し、各スイッチを自由に独立して操作できるようにしたラジコン模型用の送信機を提供することである。【解決手段】グリップ部とステアリングユニットを備えてなるラジコン模型用の送信機において、グリップ部を握る側の手の指が届く範囲内の位置にアクセルスイッチとブレーキスイッチをそれぞれ別個に設置し、両スイッチは独立して操作可能となるように取り付けられていることを特徴とするラジコン模型用の送信機である。【選択図】図１
2011110191.tif 000002
【特許請求の範囲】
【請求項１】
グリップ部とステアリングユニットを備えてなるラジコン模型用の送信機において、グリップ部を握る側の手の指が届く範囲内の位置にアクセルスイッチとブレーキスイッチをそれぞれ別個に設置し、両スイッチは独立して操作可能となるように取り付けられていることを特徴とするラジコン模型用の送信機。
【請求項２】
アクセルスイッチとブレーキスイッチは、スライド式、揺動式、押し込み式、転動式のいずれかの方式で構成されていることを特徴とする請求項１記載のラジコン模型用の送信機。
【請求項３】
アクセルスイッチとブレーキスイッチは、グリップ部の指掛け部位の上方、又は／及びグリップ部の手のひら当て部位の上方に設けられていることを特徴とする請求項１又は２記載のラジコン模型用の送信機。
【発明の詳細な説明】
【技術分野】
【０００１】
本発明は、ラジコン模型自動車などをはじめとする各種のラジコン模型に制御信号を送信する送信機（コントローラー）に関し、さらに詳しくはアクセル操作用スイッチとブレーキ操作用スイッチとを別体に構成し、各スイッチを自由に独立して操作できるようにしたラジコン模型用の送信機に関する。
【背景技術】
【０００２】
従来の送信機は、拳銃の引き金の形状を呈する二股状のトリガーユニットを備えており、このトリガーユニットはアクセル操作用スイッチとブレーキ作用スイッチを兼用しており、通常は左手の手のひらで送信機のグリップ部を握り、人指し指をトリガーユニットの二股部に引っ掛け、この人指し指をグリップ部方向に引き寄せたり、あるいは反対方向に押し込んだりしてラジコン模型のスピード調整を行っていた。例えば、人指し指をグリップ部方向に引き寄せると、トリガーユニットがアクセルスイッチを強める機能を発揮し、また反対方向に人指し指を押し込むと、トリガーユニットがブレーキスイッチを強める機能を発揮するようになっていた。また各スイッチの強弱のレベルは、トリガーユニットの引き寄せ又は押し込みの移動幅で調整されるようになっていた。
【０００３】
上記のように、トリガーユニットでラジコン模型のスピードをコントロールするのであるが、上記構成のトリガーユニットではアクセルスイッチを働かせるとブレーキスイッチは全く働かず、反対にブレーキスイッチを働かせるとアクセルスイッチが全く働かなくなるという相関関係があった。
【先行技術文献】
【特許文献】
【０００４】
【特許文献１】特開２００１−６２１６０号公報
【特許文献２】特開２００６−３２５７０８号公報
【発明の概要】
【発明が解決しようとする課題】
【０００５】
上記のように、アクセルスイッチとブレーキスイッチとが一体構成のスイッチで形成されている場合には、アクセルスイッチとブレーキスイッチは二者択一の関係で操作可能となるが、アクセルスイッチをＯＮ状態にしながら、ブレーキスイッチもＯＮ状態にするという操作はできない。
【０００６】
このため、実車の運転テクニックのひとつにヒールアンドトゥと呼ばれるものがあるが、この運転テクニックをラジコン模型の操縦に応用するためには、アクセルスイッチとブレーキスイッチとをそれぞれ同時にＯＮ状態にする必要がある。
従来のラジコン模型用の送信機では、このアクセルスイッチとブレーキスイッチとをそれぞれ同時にＯＮ状態にすることができないという問題があった。
【０００７】
本発明は、アクセルスイッチとブレーキスイッチとを別個独立の構成にして、上記の全ての課題を解決したラジコン模型用の送信機を提供せんとするものである。
【課題を解決するための手段】
【０００８】
本発明に係るラジコン模型用の送信機の請求項１のものは、グリップ部とステアリングユニットを備えてなるラジコン模型用の送信機において、グリップ部を握る側の手の指が届く範囲内の位置にアクセルスイッチとブレーキスイッチをそれぞれ別個に設置し、両スイッチは独立して操作可能となるように取り付けられていることを特徴とするラジコン模型用の送信機である。
【０００９】
また請求項２は、アクセルスイッチとブレーキスイッチは、スライド式、揺動式、押し込み式、転動式のいずれかの方式で構成されていることを特徴とする請求項１記載のラジコン模型用の送信機である。
【００１０】
また請求項３は、アクセルスイッチとブレーキスイッチは、グリップ部の指掛け部位の上方、又は／及びグリップ部の手のひら当て部位の上方に設けられていることを特徴とする請求項１又は２記載のラジコン模型用の送信機である。
【発明の効果】
【００１１】
本発明に係るラジコン模型用の送信機は、アクセルスイッチとブレーキスイッチとを別個に設置したため、それぞれのスイッチを他のスイッチの状態如何にかかわらず、両スイッチを同時にＯＮ状態としたり、同時にＯＦＦ状態としたり、あるいは互いに異なる状態にしたりなど、自由にきめ細かくその状態並びにそのレベルの強弱の程度も好みの状況に選択できるという優れた効果を発揮する。
このため、ラジコン模型の操縦に際し、ヒールアンドトゥのテクニックを駆使して、周回コーナーでのスピードの立ち上がりを自由にコントロールするなどして微妙で楽しみにあふれた操縦を可能にできるという効果を発揮する。
【００１２】
請求項２及び３記載のラジコン模型用の送信機によれば、アクセルスイッチとブレーキスイッチとを操作し易い形態のものにして、操作し易い位置に設置することで、上記した効果をさらに向上させることができる。
【図面の簡単な説明】
【００１３】
【図１】本発明のラジコン模型用の送信機の正面図である。
【図２】本発明のラジコン模型用の送信機の右側面図である。
【図３】本発明のラジコン模型用の送信機の左側面図である。
【図４】他の実施例にかかるラジコン模型用の送信機の正面図である。
【図５】他の実施例にかかるラジコン模型用の送信機の正面図である。
【図６】他の実施例にかかるラジコン模型用の送信機の正面図である。
【発明を実施するための形態】
【００１４】
以下、図面を参照して本発明のラジコン模型用の送信機の実施の形態を説明する。
図１〜図４に示す本発明に係るラジコン模型用の送信機１は、グリップ部２とステアリングユニット３を備えており、グリップ部２を片側の手で握って保持する。
【００１５】
グリップ部２には、その側面の一方に指掛け部位４を、他の側面に手のひら当て部位５が形成されており、この指掛け部位４又は／及び手のひら当て部位５の上方位置にはアクセルスイッチ６やブレーキスイッチ７が設けられている。
図１〜図３の実施例のものは、指掛け部位４の上方位置にアクセルスイッチ６を、手のひら当て部位５の上方位置にはブレーキスイッチ７を設けるようにした例を示しているが、アクセルスイッチ６とブレーキスイッチ７の位置は相互にチェンジすることは可能であり、使用者の好みで自由に選択するべき内容である。
【００１６】
また図４の実施例のものは、指掛け部位４の上方位置にアクセルスイッチ６とブレーキスイッチ７とを併存させた例を示しているが、併存させる位置を指掛け部位４の上方位置から手のひら当て部位５の上方位置にチェンジすることももちろん可能である。本発明では、アクセルスイッチ６とブレーキスイッチ７の設置位置はグリップ部２を握る側の手の指が届く範囲内であれば、その位置は自由に選択でき、特定されることはない。
【００１７】
図５の実施例のものは、アクセルスイッチ６を指掛け部位４の上方位置に設置して拳銃のトリガータイプとした例であり、ブレーキスイッチ７をグリップ部２の側面の上方位置に設置した例を示し、図６のものは、ブレーキスイッチ７をグリップ部２の手のひら当て部位５の情報位置に設置した例を示したものである。
【００１８】
また本発明に於けるアクセルスイッチ６やブレーキスイッチ７は、独立して操作可能になるため、他のスイッチの状況如何にかかわらず各スイッチをいつでもＯＮ状態としたり、ＯＦＦ状態とすることができ、またその強弱の程度も自由に選択できるように構成されている。
【００１９】
このため、アクセルスイッチ６をＯＮ状態としたまま、ブレーキスイッチ７をＯＮ状態にするようなことも自由に選択でき、その結果ヒールアンドトゥのテクニックを駆使して、周回コーナーでのスピードの立ち上がりを自由にコントロールするなどして微妙で楽しみにあふれたラジコン模型の操縦をすることができる。
【００２０】
またアクセルスイッチ６やブレーキスイッチ７は、前後、左右、上下のいずれかの方向にスライドさせることでＯＮ，ＯＦＦの切り替えやレベル調整を行うようにしたスライド式のものであっても、あるいはいずれかの方向に揺動させることでＯＮ，ＯＦＦの切り替えやレベル調整を行うようにした揺動式のものであっても、あるいはいずれかの方向に押し込むことでＯＮ，ＯＦＦの切り替えやレベル調整を行うようにした押し込み式のものであっても、あるいはいずれかの方向に転動させることでＯＮ，ＯＦＦの切り替えやレベル調整を行うようにした転動式のものであってもよく、またこれらに類する他の方式のものであっても良いことはもちろんである。
【産業上の利用可能性】
【００２１】
本発明によれば、ラジコン模型用の送信機を製造する現場、それを販売する現場、それを利用する現場で幅広く利用することができる。
【符号の説明】
【００２２】
１    ラジコン模型用の送信機
２    グリップ部
３    ステアリングユニット
４    指掛け部位
５    手のひら当て部位
６    アクセルスイッチ
７    ブレーキスイッチ
【図１】
2011110191.tif 000003
【図２】
2011110191.tif 000004
【図３】
2011110191.tif 000005
【図４】
2011110191.tif 000006
【図５】
2011110191.tif 000007
【図６】
2011110191.tif 000008